(57)【要約】【課題】構造が簡単で、かつ装填及び交換が容易な濾過器、濾過器用ケーシング及び濾過器の組み立て方法を提供する。【解決手段】ケーシング２０とケーシング２０に収納されたフィルタエレメント１０とを備える濾過器１である。フィルタエレメント１０が、下端面１４に開口部を有し上端面まで貫通するセルを形成する多孔質の隔壁を備え、ケーシング２０が、フィルタエレメント１０の側面を囲むケーシング本体２５と、フィルタエレメント１０の上部を覆い、ケーシング本体２５と着脱可能なキャップ部２３とを備え、ケーシング本体２５が、フィルタエレメント１０を上方に出し入れ可能な中空部２９を有する筒状の側壁部２６と、側壁部２６の下部から内方に突出したつば部２７とを備え、つば部２７によりフィルタエレメント１０が支持された濾過器１である。【選択図】図２
2005270832.tif 000002
【特許請求の範囲】
【請求項１】
ケーシングと前記ケーシングに収納されたフィルタエレメントとを備える濾過器であって、
前記フィルタエレメントが、下端面に開口部を有し上端面まで貫通するセルを形成する多孔質の隔壁を備え、
前記ケーシングが、前記フィルタエレメントの側面を囲むケーシング本体と、前記フィルタエレメントの上部を覆い、前記ケーシング本体と着脱可能なキャップ部とを備え、
前記ケーシング本体が、前記フィルタエレメントを上方に出し入れ可能な中空部を有する筒状の側壁部と、前記側壁部の下部から内方に突出したつば部とを備え、
前記つば部により前記フィルタエレメントが支持された濾過器。
【請求項２】
前記フィルタエレメントが、前記下端面の開口部を塞がないように、前記下端面の外周部でつば部に支持された請求項１に記載の濾過器。
【請求項３】
前記フィルタエレメントが、セラミック多孔質体からなるとともに、互いに平行に伸びる多数のセルが形成されたモノリス状のフィルタエレメントである請求項１又は２に記載の濾過器。
【請求項４】
前記フィルタエレメントの側面における上端部と前記ケーシングとが、着脱可能なシール部材によりシールされた請求項１〜３の何れかに記載の濾過器。
【請求項５】
前記フィルタエレメントの側面における下端部と前記ケーシングとが、着脱可能なシール部材によりシールされた請求項１〜４の何れかに記載の濾過器。
【請求項６】
前記シール部材が、断面がＬ字状の環状体である請求項４又は５に記載の濾過器。
【請求項７】
前記フィルタエレメントが、１つのみ前記ケーシングに収納された請求項１〜６のいずれかに記載の濾過器。
【請求項８】
フィルタエレメントを収納する濾過器用ケーシングであって、前記フィルタエレメントの側面を囲むためのケーシング本体と、前記フィルタエレメントの上部を覆うための、前記ケーシング本体と着脱可能なキャップ部とを備え、
前記ケーシング本体が、前記フィルタエレメントを上方に出し入れ可能な中空部を有する筒状の側壁部と、前記フィルタエレメントを支持するために前記側壁部の下部から中空部方向に突出したつば部とを備えた濾過器用ケーシング。
【請求項９】
柱状のフィルタエレメントを筒状のケーシング本体及びキャップ部を備えるケーシングに収納する濾過器の組み立て方法であって、
フィルタエレメントの第１の端面に保護キャップを被せる工程と、
フィルタエレメントを、第１の端面を下側にして組み立て用フランジ上に置く工程と、
フィルタエレメントの側面を保護カバーで覆う工程と、
ケーシング本体をフィルタエレメントの上方から下ろして、フィルタエレメントをケーシング本体の内部に入れる工程と、
保護カバーを抜き取る工程と、
シール部材を第２の端面外周部に取り付ける工程と、
組み立て用フランジとケーシング本体とを固定する工程と、
ケーシング本体及びフィルタエレメントを反転させて、第２の端面を下側にする工程と、
組み立て用フランジ及び保護キャップを取り外す工程と、
シール部材を第１の端面外周部に取り付ける工程と、
第１の端面を覆うようにキャップ部を取りつけ、ケーシング本体とキャップ部とを固定する工程と
を含む濾過器の組み立て方法。
【発明の詳細な説明】
【技術分野】
【０００１】
本発明は、液体中の懸濁物質や病原性微生物等の有害物質を除去するために好適に用いることができる濾過器、濾過器用ケーシング及び濾過器の組み立て方法に関し、特に浄水場等における大量の水処理に好適に用いることができる濾過器、濾過器用ケーシング及び濾過器の組み立て方法に関する。
【背景技術】
【０００２】
近年、世界的な水不足に加えて、クリプトスポリジウムやＯ−１５７をはじめとする病原性微生物の問題が深刻化しており、安全性が高く高品質の水を簡易に製造し得る浄水プロセスが求められている。多孔質体を濾材とするフィルタエレメントを用いた精密濾過や限外濾過は、簡便な操作により液体中の懸濁物質や病原性微生物等の有害物質を効果的に除去し得る浄水プロセスとして注目を集めている。精密濾過や限外濾過に用いられるフィルタエレメントとしては、セラミックの多孔質体からなる隔壁を有し、その隔壁によって、液体の流路となるセルが形成された構造のものが実用されている。
【０００３】
例えば、図１に示すように、セラミック多孔質体を濾材とし、液体の流路方向が平行となるようにセル４１が形成されたフィルタ４が、フィルタエレメントとして用いられている。このフィルタエレメントは、セラミック多孔質体からなる隔壁を有し、その隔壁によって区分されたセル４１が形成されたハニカム構造となっている。
【０００４】
上記のようなモノリス状のフィルタエレメントは、原液（被処理液体）を複数のセル内に所定の圧力で供給すると、液体がセルの内壁に形成された濾過膜及び基材を構成する多孔質体を透過して基材の外周面から流出する際に、懸濁物質等は濾過膜において捕集される。従って、フィルタエレメントを、その基材外周面側とセル開口端面側とが、シール材により液密的に隔離された状態で、ケーシング内に内蔵する構造とすることによって、浄化液を回収することができる。
【０００５】
上記のようなモノリス状のフィルタエレメントは、単独で用いられることもあるが、浄水場等のように大量の原液（原水）を処理することが要請される場合には、多数のフィルタエレメントをケーシング内に収納して、濾過面積を増加させ、処理能力を向上させることが行われている。
【０００６】
多数のフィルタエレメントをケーシング内に収納した濾過器としては、例えば、多数のフィルタエレメントの両端部が各々、上部プレート、下部プレートに挿通された状態で支持され、多数のフィルタエレメントを並列的に配置した状態でケーシング内に内蔵してなる濾過器が知られている（例えば、特許文献１及び２参照）。
【特許文献１】特開平１０−１８００４９号公報
【特許文献２】特開平１０−１８４９１９号公報
【発明の開示】
【発明が解決しようとする課題】
【０００７】
本発明は、構造が簡単で、かつ装填及び交換が容易な濾過器、濾過器用ケーシング及び濾過器の組み立て方法を提供することを特徴とする。
【課題を解決するための手段】
【０００８】
本発明は、以下の濾過器、濾過器用ケーシング及び濾過器の組み立て方法を提供するものである。
【０００９】
［１］  ケーシングと前記ケーシングに収納されたフィルタエレメントとを備える濾過器であって、前記フィルタエレメントが、下端面に開口部を有し上端面まで貫通するセルを形成する多孔質の隔壁を備え、前記ケーシングが、前記フィルタエレメントの側面を囲むケーシング本体と、前記フィルタエレメントの上部を覆い、前記ケーシング本体と着脱可能なキャップ部とを備え、前記ケーシング本体が、前記フィルタエレメントを上方に出し入れ可能な中空部を有する筒状の側壁部と、前記側壁部の下部から内方に突出したつば部とを備え、前記つば部により前記フィルタエレメントが支持された濾過器。
【００１０】
［２］  前記フィルタエレメントが、前記下端面の開口部を塞がないように、前記下端面の外周部でつば部に支持された［１］に記載の濾過器。
【００１１】
［３］  前記フィルタエレメントが、セラミック多孔質体からなるとともに、互いに平行に伸びる多数のセルが形成されたモノリス状のフィルタエレメントである［１］又は［２］に記載の濾過器。
【００１２】
［４］  前記フィルタエレメントの側面における上端部と前記ケーシングとが、着脱可能なシール部材によりシールされた［１］〜［３］の何れかに記載の濾過器。
【００１３】
［５］  前記フィルタエレメントの側面における下端部と前記ケーシングとが、着脱可能なシール部材によりシールされた［１］〜［４］の何れかに記載の濾過器。
【００１４】
［６］  前記シール部材が、断面がＬ字状の環状体である［４］又は［５］に記載の濾過器。
【００１５】
［７］  前記フィルタエレメントが、１つのみ前記ケーシングに収納された［１］〜［６］のいずれかに記載の濾過器。
【００１６】
［８］  フィルタエレメントを収納する濾過器用ケーシングであって、前記フィルタエレメントの側面を囲むためのケーシング本体と、前記フィルタエレメントの上部を覆うための、前記ケーシング本体と着脱可能なキャップ部とを備え、前記ケーシング本体が、前記フィルタエレメントを上方に出し入れ可能な中空部を有する筒状の側壁部と、前記フィルタエレメントを支持するために前記側壁部の下部から中空部方向に突出したつば部とを備えた濾過器用ケーシング。
【００１７】
［９］  柱状のフィルタエレメントを筒状のケーシング本体及びキャップ部を備えるケーシングに収納する濾過器の組み立て方法であって、フィルタエレメントの第１の端面に保護キャップを被せる工程と、フィルタエレメントを、第１の端面を下側にして組み立て用フランジ上に置く工程と、フィルタエレメントの側面を保護カバーで覆う工程と、ケーシング本体をフィルタエレメントの上方から下ろして、フィルタエレメントをケーシング本体の内部に入れる工程と、保護カバーを抜き取る工程と、シール部材を第２の端面外周部に取り付ける工程と、組み立て用フランジとケーシング本体とを固定する工程と、ケーシング本体及びフィルタエレメントを反転させて、第２の端面を下側にする工程と、組み立て用フランジ及び保護キャップを取り外す工程と、シール部材を第１の端面外周部に取り付ける工程と、第１の端面を覆うようにキャップ部を取りつけ、ケーシング本体とキャップ部とを固定する工程とを含む濾過器の組み立て方法。
【発明の効果】
【００１８】
ケーシングを、着脱可能な少なくとも２つの部材、ケーシング本体とキャップ部とに分割し、ケーシング本体にはつば部を設けることにより、フィルタエレメントを上部から容易に出し入れ可能とする。この構造により、フィルタエレメントを容易に装填、交換することができる。
【発明を実施するための最良の形態】
【００１９】
以下、本発明を実施するための最良の形態（以後、「実施形態」ということがある）を図面を参照しながら具体的に説明するが、本発明は以下の実施形態に限定されるものではなく、本発明の趣旨を逸脱しない範囲で、当業者の通常の知識に基づいて、適宜変更、改良等が加えられることが理解されるべきである。
【００２０】
図２は、本発明の濾過器の一実施形態を模式的に示す断面図である。図３は、本発明に係るフィルタエレメントの一実施形態を模式的に示す斜視図である。図２に示す濾過器１は、ケーシング２０とケーシング２０に収納されたフィルタエレメント１０とを備える。図３に示すフィルタエレメント１０は、多孔質の隔壁１６を備え、この隔壁１６により、下端面１４に開口部を有し上端面１５まで貫通するセル１２が形成されている。
【００２１】
ケーシング２０は、フィルタエレメント１０の側面を囲むケーシング本体２５と、フィルタエレメント１０の上部を覆うキャップ部２２とを備える。そして、キャップ部２２は、Ｏリング２８を介して、ケーシング本体２５に着脱可能に装着されている。キャップ部２２とケーシング本体２５との間を液密にシールできれば、Ｏリング２８は特に必須ではないが、通常はＯリング２８を介してキャップ部２２をケーシング本体２５に装着することが好ましい。
【００２２】
ケーシング本体２５は、フィルタエレメント１０を上方に出し入れ可能な空間部２９を有する筒状の側壁部２６と、側壁部２６の下部から内方に突出したつば部２７とを備える。そして、つば部２７によりフィルタエレメント１０の下端面１４が支持される。
【００２３】
このような構造とすることにより、フィルタエレメントを上部から容易に出し入れでき、濾過器の組み立て及びフィルタエレメントの交換が容易となる。
【００２４】
つば部２７は、フィルタエレメント１０のセル１２の開口部を塞がない程度に内方に突出していることが好ましい。つば部２７が、フィルタエレメント１０のセル１２の開口部を塞がないように、下端面１４の外周部のみを支持することにより、フィルタエレメントの濾過面積を有効に活用することができる。
【００２５】
つば部２７が支持する外周部の範囲は、フィルタエレメントの大きさや構造によって異なるが、フィルタエレメントの最外周から最外周セルまでの１ｍｍ〜３ｍｍの範囲が好ましい具体例としてあげられる。一方、良好な支持強度を得、多少の寸法のずれにも対応するために最低でも最外周から２ｍｍ以上、特に２．５ｍｍ〜３．５ｍｍの範囲を支持することが好ましい。
【００２６】
フィルタエレメント１０とケーシング２０との間は、着脱可能なシール部材３０によりシールすることが好ましい。更に、シール部材３０を、フィルタエレメントの側面とケーシングとの間をシールするように配置することが好ましい。図２に示すような縦長の濾過器においては、温度変化による寸法変化や、製造時の寸法誤差は、縦方向により大きく現れる。従って、フィルタエレメントの端面ではなく、側面でシールすることにより、寸法変化や寸法誤差に対応することができ、シール状態を良好に保持することができる。
【００２７】
フィルタエレメントの側面でシールする場合には、フィルタエレメントの上端部の側面でシールすることが好ましいが、下端部においても側面でシールすることが更に好ましい。このような構成は、フィルタエレメントが外周面から濾過水を排出するタイプのモノリス状フィルタの場合に特に効果的である。
【００２８】
更に、シール部材３０が、図２に示すように断面Ｌ字状の環状体であることが好ましい。このような形状とすることにより、シール位置の位置決めが容易となるとともに、脱着も容易となる。また、フィルタエレメントの端面外周部にキャップのように嵌め込むことができ、フィルタエレメントの側面端部で容易にシールすることができる。
【００２９】
ケーシングが収納するフィルタエレメントの数は１つであることが好ましい。１つのフィルタエレメントとすることにより、構造も簡素化でき、濾過器の組み立て及びフィルタエレメントの交換もより容易となる。
【００３０】
図２に示す濾過器１は、更に開口部３２を有する下部ヘッダ３１を備える。フィルタエレメントがモノリス状フィルタの場合に、通常、下端面１４から原水等の被処理液体が流入するため、下部ヘッダ３１を備えることにより被処理液体を導入する配管への接続が容易となる。
【００３１】
図２に示すケーシング本体２５は、側壁部２６に開口部３４を備える。フィルタエレメント１０がモノリス状フィルタの場合に、濾液はフィルタエレメント１０の側面から排出されるため、側壁部２６がこの濾液を送出する開口部３４を有することが好ましい。この開口部３４は、ケーシング２０内のエア抜きを容易にする観点から、側壁部２６の上部に設けることが好ましい。
【００３２】
図２に示すキャップ部２２は、開口部２３を有する。原液を循環させながら濾過を行うクロスフロー運転により濾過を行う場合には、原液を濾過器から排出する排出口として、キャップ部２２が開口部２３を有することが好ましい。また、フィルタエレメントの逆洗時に圧縮エアを供給する際に開口部２３をエアの供給口として利用することもできる。
【００３３】
ケーシングは、不透水性で耐食性が高い材質により構成することが好ましい。樹脂製のフィルタエレメントの場合には樹脂製のケーシング等が、セラミック製のフィルタエレメントの場合にはステンレス製のケーシング等が好適に用いられる。
【００３４】
フィルタエレメントを構成する材質については特に制限はないが、一般的には、樹脂やセラミックによって構成されたフィルタエレメントが汎用されている。本発明の濾過器においては、セラミックで構成されたフィルタエレメントが好適に用いられる。
【００３５】
フィルタエレメントを構成するセラミックとしては、例えば、アルミナ（Ａｌ2Ｏ3）、チタニア（ＴｉＯ2）、ムライト（Ａｌ2Ｏ3・ＳｉＯ2）、又はジルコニア（ＺｒＯ2）等が用いられる。中でも、粒子径が制御された原料を入手し易く、安定なスラリーを形成でき、かつ、耐食性が高い、アルミナが好適に用いられる。セラミックは、機械的強度や耐久性に優れるため信頼性が高く、耐食性が高いため酸やアルカリ等による薬液洗浄の際の劣化が少なく、更には、濾過能力を決定する平均細孔径の精密な制御が可能であるといった様々な利点を有している。
【００３６】
セラミック製のフィルタエレメントとしては、チューブ状フィルタやモノリス状フィルタを代表的な例として挙げることができる。チューブ状フィルタは、セラミック多孔質体からなる筒状の隔壁を有し、その隔壁によって区分された、中心部を貫通する単一のセルが形成された構造を呈している。一方、モノリス状フィルタは、セラミック多孔質体からなる隔壁を有し、その隔壁によって区分された多数のセルが形成されたハニカム構造を呈している。中でも、単位体積当たりの濾過面積が大きく処理能力が高い、モノリス状フィルタが好適に用いられる。また、１つのフィルタエレメントをケーシングに収納し、フィルタエレメントの取り出しを容易にする観点からも、大型化がより容易なモノリス状フィルタが好ましい。
【００３７】
チューブ状フィルタやモノリス状フィルタとしては、セラミック多孔質体からなる基材と、基材の表面に形成された、基材より平均細孔径が小さいセラミック多孔質体からなる濾過膜とから構成されたものを好適に用いることができる。
【００３８】
このような構造では、専ら濾過膜によって濾過機能が発揮されるため、基材の平均細孔径を大きく構成することができる。従って、隔壁を透過してセル外に流出した液体が基材内部を透過する際の流動抵抗を低減させることができ、透水量を増加させることが可能となる。
【００３９】
濾過膜を構成するセラミック多孔質体の平均細孔径は、要求される濾過性能（除去すべき物質の粒径）により異なるが、精密濾過や限外濾過に用いるフィルタエレメントの場合であれば、０．０１〜１．０μｍ程度である。一方、基材を構成するセラミック多孔質体の平均細孔径は、機械的強度と透水量のバランスを考慮して決定される。通常は、平均細孔径１〜数１００μｍ程度のセラミック多孔質体が基材として用いられる。
【００４０】
基材は、骨材粒子を含む坏土を成形し、乾燥し、焼成する方法等により得ることができ、濾過膜は、基材の隔壁表面に骨材粒子を含むスラリーを成膜し、乾燥し、焼成する方法等により形成することができる。成膜は、ディップ成膜法等の従来公知の成膜法により行うことができるが、ピンホール等の膜欠陥を有効に防止し得る濾過製膜法（特公昭６３−６６５６６号公報参照）により行うことが好ましい。
【００４１】
更に、モノリス状フィルタとしては、例えば、図４に示すモノリス状フィルタ２のように、多数のセル３が形成されていることに加え、その長手方向の一部に、並列する一群のセルとモノリス８の外部空間とを連通させる集水スリット５が形成され、その集水スリット５に連通するセル（集水セル）の両端開口部が目封止部材６によって目封止されたものを好適に用いることができる。
【００４２】
モノリス状フィルタにおいては、中心部近傍のセルほど濾液がモノリス外部に流出する際の流動抵抗が大きいため、濾液がモノリス外部に流出する際の流動抵抗が小さい外周部近傍のセルのみが濾過に使用されてしまい、実質的な濾過面積、ひいては透水量が減少することが起こり得る。上記の構造は、中心部近傍のセルから流出した濾液を集水スリット経由でモノリスの外部空間に速やかに流出させることができる。従って、中心部近傍のセルについても有効に活用することができ、実質的な濾過面積、ひいては透水量を大幅に増加させることが可能である。このような構造は、中心部近傍のセルからモノリス外周までの距離が長い、大型のモノリス状フィルタの場合に特に有効である。従って、フィルタエレメントを大型化し、ケーシングに１つのフィルタエレメントを収納した構成とするために特に好ましい形態である。なお、集水セルについては、セルの両端開口部を目封止する構造としているため、セル開口部から原液が混入することはない。
【００４３】
集水スリットは、並列する一群のセルをモノリスの外部空間と連通させるように破断することにより形成することができる。セルの破断は、焼成前の成形体、乾燥体の段階で行ってもよいし、焼成後の焼結体の段階で行ってもよい。また、セル開口部の目封止は、例えば、モノリスと同じ材料からなる坏土（目封止材）を目封止すべきセルの開口部に充填した後、乾燥・焼成する方法等により行うことができる。図４に示すように、集水スリット５は、モノリス８の両端面近傍にそれぞれ複数ずつ形成されることが多い。そして、各集水スリット５が、相互に平行するように形成されることが一般的である。
【００４４】
フィルタエレメントの形状については特に制限はない。全体的な形状としては、例えば、図４に示すような円柱状の他、四角柱状、又は三角柱状等の形状が挙げられる。中でも、押出成形がし易く、焼成変形が少なく、ケーシングとのシールが容易な円柱状が好適に用いられる。フィルタエレメントの大きさについても特に制限はないが、本発明の濾過器は、大型のフィルタエレメントを収納した濾過器に適応する場合に、簡単な構造で、フィルタエレメントの出し入れが簡単にできるという効果がより発揮される。具体的には、外径が５０ｍｍ以上であることが好ましく、２００ｍｍ以上であることが更に好ましい。長さは５００ｍｍ以上であることが好ましく、１０００ｍｍ以上であることが更に好ましい。一方、あまり大きすぎると、製造が難しくなり、逆にコストの上昇を招く等の問題がある。従って外径は、３００ｍｍ以下であることが好ましく、２５０ｍｍ以下であることが更に好ましい。長さは２０００ｍｍ以下であることが好ましく、１５００ｍｍ以下であることが更に好ましい。
【００４５】
セル形状（液体の流通方向と直交する断面における形状）としては、例えば、図３に示すような円形セルの他、四角形セル、六角形セル、又は三角形セル等の形状が挙げられる。中でも、逆洗の際に、隔壁表面に堆積した懸濁物質等を剥離させて除去することが容易な円形セルが好適に用いられる。
【００４６】
このような濾過器を、大量の液体を濾過する浄水場等に設置する際には、複数の濾過器を一列に並べて設置し、これを配管によりつなげることでモジュール化し、このモジュールを更に複数設置することが好ましい。
【００４７】
次に、濾過器の組み立て方法について、一実施形態を基に説明する。図５（ａ）及び図５（ｂ）は、本発明の濾過器の組み立て方法の一実施形態を模式的に示す工程図である。
【００４８】
（１）まず、フィルタエレメント５０の第１の端面５１に保護キャップ５４を被せる。保護キャップ５４は、フィルタエレメントの端部を衝撃から保護できるものであればその材質に特に制限はないが、例えば、ゴム、布、ウレタン、プラスチック、紙等を好適な例としてあげることができる。
【００４９】
（２）次に、フィルタエレメント５０を、第１の端面を下側にして、組み立て用フランジ５５の上に置く。ここで、組み立て用フランジ５５は、ゴムシート６４等の緩衝材の上に置くことが好ましい。また、組み立て用フランジ５５は、フィルタエレメントの位置決めが容易に行えるように、表面に凹凸がついていることが好ましい。
【００５０】
（３）次に、保護カバー５６を用意し、フィルタエレメント５０の側面５３を保護カバー５６で覆う。保護カバー５６は、筒状又は袋状であることが好ましい。更に、第２の端面５２もカバーするように、有底の筒状又は袋状であることが好ましい。このような形状であれば、保護カバーをフィルタエレメントの上部から被せるように取り付けることができる。保護カバーの材質としては、例えば、キルティング等の布、ゴム、フィルム、プラスチック、紙等を好適な例としてあげることができる。
【００５１】
次に、ケーシング本体６０をフィルタエレメント５０の上方から下ろすことにより、ケーシング本体を保護カバー５６の上からかぶせて、フィルタエレメント５０をケーシング本体６０の中に入れる。ケーシング本体６０がステンレス等の金属製で、大型の場合には、ケーシング本体は、かなりの重量になるため、クレーン等により吊り上げて、フィルタエレメント５０の上方から下ろすことが好ましい。
【００５２】
（４）次に、組み立て用フランジ５５とケーシング本体６０との位置決めを行う。位置決めは、スタッドボルト５７を組み立て用フランジ５５に取りつけた状体で、ケーシング本体６０のボルト穴にスタッドボルト５７を通すことによって行うことが好ましい。また、この際、組み立て用フランジ５５とケーシング本体６０との間にスペーサー５８を入れておくことも、後の工程でシール部材５９を容易に取り付けできるため好ましい。
【００５３】
（５）次に、保護カバー５６を抜き取る。この際、保護カバー５６の上端部に、保護カバーを抜き取るための持ち手（図示せず）を備えていると、容易に保護カバー５６を抜き取ることができるため好ましい。持ち手は、保護カバーをフィルタエレメントの上部から抜き取る際に、それを持って引き上げることができるものであり、ループ状、リボン状、ひも状のものが好ましい。
【００５４】
（６）次に、シール部材５９をフィルタエレメントの第２の端面５２の外周部に取り付ける。シール部材５９は、断面Ｌ字の環状体（シールキャップ）であることが好ましい。このような形状であると、フィルタエレメント５０の端部に容易に取り付けることができ、かつフィルタエレメント５０の側面でシールすることができる。スペーサー５８を組み立て用フランジ５５とケーシング本体６０との間に配置していると、ケーシング本体６０がフィルタエレメント５０よりも上方に突き出た配置となっているため、ケーシング本体６０がつば部（図示せず）をこの端部に備えていても、シール部材５９を第２の端面に容易に取り付けることができる。なお、シール部材５９は柔軟性を有するものであり、ケーシング本体６０の開口部の寸法が環状のシール部材５９の外周寸法よりも小さい場合でも、シール部材５９を変形させて容易にケーシング本体中に挿入することができる。また、フィルタエレメント５０を保護カバー５６で覆う前に、シール部材５９を第２の端面５２の外周部に取り付けておいてもよい。しかし、シール部材５９が工程の途中で脱落してしまう場合がある。これは、フィルタエレメント５０のセルの開口部を塞がないために、シール部材５９と第２の端面５２との接触面積を小さくすることがが好ましく、更にシール部材５９が容易に変形するために、シール部材が第２の端面５２から外れやすいからである。従って、保護カバー５６を抜き取った後に、シール部材５９を取り付けることがより好ましい。
【００５５】
（７）次に、ケーシング本体６０を吊り上げ、スペーサー５８をはずした後、ケーシング本体を下ろし、ナットをスタッドボルトにつけて回すことにより、ケーシング本体６０を下方に押し込んで、所定の位置に固定する。
【００５６】
（８）次に、この全体を反転させて、第１の端面５１が上端面となるように置き、組み立て用フランジ５５及び保護キャップ５４を取り外す。
【００５７】
（９）次に、第２の端面に取りつけたものと同様のシール部材５９を第１の端面５１にも取り付ける。この際、組み立て用フランジ５５の裏面（平らな面）を使って、シール部材５９を押し込んで、取り付けることが好ましい。
【００５８】
（１０）次に、キャップ部６１をＯリング６２を介してケーシング本体６０に取り付ける。更に、下部ヘッダ６３がある場合には、これもＯリング６２を介してケーシング本体６０に取りつけて、濾過器を完成させる。
【産業上の利用可能性】
【００５９】
本発明の濾過器は、構造が簡単で、かつフィルタエレメントの装填及び交換が容易なため、水処理等の液体の濾過に好適に用いることができる。特に、浄水場等、大量の水を処理する大型の濾過器として好適に用いることができる。本発明の濾過器用ケーシングは、このような濾過器の部品として好適に用いることができる。本発明の濾過器の組み立て方法は、このような濾過器を好適に組み立てることができる。
【図面の簡単な説明】
【００６０】
【図１】フィルタエレメントの一例を示す模式的な斜視図である。
【図２】本発明の濾過器の一実施形態を模式的に示す断面図である。
【図３】本発明に係るフィルタエレメントの一実施形態を模式的に示す斜視図である。
【図４】本発明に係るフィルタエレメントの別の実施形態を模式的に示す斜視図である。
【図５（ａ）】本発明の濾過器の組み立て方法の一実施形態を模式的に示す工程図である。
【図５（ｂ）】本発明の濾過器の組み立て方法の一実施形態を模式的に示す工程図である。
【符号の説明】
【００６１】
１…濾過器、２…モノリス状フィルタ、３…セル、４…フィルタ、５…集水スリット、６…目封止部材、８…モノリス、１０…フィルタエレメント、１２…セル、１４…下端面、１５上端面、１６…隔壁、２０…ケーシング、２２…キャップ部、２３…開口部、２５…ケーシング本体、２６…側壁部、２７…つば部、２８…Ｏリング、２９…空間部、３０…シール部材、３１…下部ヘッダ、３２…開口部、３４…開口部、４１…セル、５０…フィルタエレメント、５１…第１の端面、５２…第２の端面、５３…側面、５４…保護キャップ、５５…組み立て用フランジ、５６…保護カバー、５７…スタッドボルト、５８…スペーサー、５９…シール部材、６０…ケーシング本体、６１…キャップ部、６２…Ｏリング、６３…下部ヘッダ、６４…ゴムシート。
【図１】
2005270832.tif 000003
【図２】
2005270832.tif 000004
【図３】
2005270832.tif 000005
【図４】
2005270832.tif 000006
【図５（ａ）】
2005270832.tif 000007
【図５（ｂ）】
2005270832.tif 000008